【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
システム、特にさまざまなタスクが設けられたコンピュータシステムの実時間を解析するための、コンピュータに組み込まれる方法であって
前記タスクは繰り返し実行され、
タスクの実行は、前記タスクの起動によりトリガーされ、これは前記タスクのイベントを示し、
複数の記述的エレメントが前記イベントの時間相関をイベントストリームとして記述するために設けられ、
前記イベントストリームは前記イベントの最大時間密度および／又は最小時間密度を検出することができ、
少なくとも、イベントストリームの量が割り当てられ、少なくとも２つのイベントストリームによりキャプチャされるイベント全体の時間相関を記述するさらなる記述的エレメントを有する方法であって、
前記さらなる記述的エレメントもしくは限定イベントストリームの少なくとも１つが、少なくとも２つのイベントストリームによりキャプチャされるイベント全体の最大時間相関を記述し、少なくとも時間インターバル（ｄｔ）において前記限定イベントストリームにより許容されるイベントの量である時間インターバル（ｄｔ）のイベント量が、ｄｔにおいて非限定イベントストリームにより許容されるイベントの総量より少ない構成と、
前記さらなる記述的なエレメント又は限定イベントストリームの少なくとも１つが、少なくとも２つのイベントストリームによりキャプチャされるイベント全体の最小時間相関を記述し、少なくとも時間インターバル（ｄｔ）に対し、ｄｔにおいて前記限定イベントストリームにより許容されるイベントの量が、ｄｔにおいて前記非限定イベントストリームにより許容されるイベントの量を上回る構成と、
の少なくとも一方を有することを特徴とする方法。
【請求項２】
請求項１に記載の方法であって、
前記少なくとも１つのさらなる記述的エレメントが限定イベントストリームを記述することを特徴とする方法。
【請求項３】
先に記載された請求項のいずれかに記載の方法であって、
前記システムには少なくとも１つのコンポーネント又はリソースが割り当てられ、前記コンポーネントの少なくとも１つには少なくとも２つのタスクが割り当てられることを特徴とする方法。
【請求項４】
先に記載された請求項のいずれかに記載の方法であって、
少なくとも２つのタスクが１つのグループに含まれ、グループの前記タスクはリソースに割り当てられ、前記リソースにおいて競合する前記タスクもしくはこのグループのタスクは、異なる時間においてのみ前記リソースにおける処理を行い、前記システムは前記リソースが前記グループの所定のタスクに割り当てられる時間点を決定する方法を有することを特徴とする方法。
【請求項５】
先に記載された請求項のいずれかに記載の方法であって、
前記限定イベントストリームの少なくとも１つが少なくとも２つの限定イベントストリームに割り当てられ、それらはそれぞれ異なるタスクを起動し、
これらのタスクは少なくとも１つの結合グループに割り当てられ、
コストがそれぞれ、１つのイベントのための前記タスクによる前記リソースの一時的な使用をキャプチャする前記タスクに割り当てられ、
さらに、
前記タスクにより結合して要求される前記コストを決定するステップ、を有し、
該ステップは、
限定イベントストリームの前記イベントを最も高いコストを有する前記タスクに割り当てるステップであって、ここで割り当てられる前記イベントの量が、前記タスクを起動する前記イベントストリームにより限定されるステップ、
前記割り当てられたイベントの量を考慮して前記限定イベントストリームの残りの結果を決定するステップ、
前記限定イベントストリームの前記残りのイベントを次に高いコストを有する前記タスクに割り当てるステップであって、次に、前記割り当てられるイベントの量が前記タスクを起動する前記イベントストリームにより限定されるステップ、
前記ステップを前記限定イベントストリームの全てのイベントが割り当てられるまで繰り返すステップ、
個々のタスクのコストおよびそれぞれ割り当てられるイベントの量から全体コストを検出するステップ、を有することを特徴とする方法。
【請求項６】
請求項１に記載の方法であって、
前記限定イベントストリームの少なくとも１つが少なくとも２つの限定イベントストリームに割り当てられ、それらはそれぞれ異なるタスクを起動し、
これらのタスクは少なくとも１つの結合グループに割り当てられ、
タスクもはそれぞれ、前記タスクによる１イベントそれぞれに対するリソースの一時的な使用を検出する各コストに割り当てられ、
さらに、
前記タスクにより結合して要求される前記コストを決定するステップ、を有し、
該ステップは、
限定イベントストリームの前記イベントを最も高いコストを有する前記タスクに割り当てるステップであって、ここで割り当てられる前記イベントの量が、前記タスクを起動する前記イベントストリームにより限定されるステップ、
前記割り当てられたイベントの量を考慮して前記限定イベントストリームの残りの結果を決定するステップ、
前記限定イベントストリームの前記残りのイベントを次に高いコストを有する前記タスクに割り当てるステップであって、次に、前記割り当てられるイベントの量が前記タスクを起動する前記イベントストリームにより限定されるステップ、
前記ステップを前記限定イベントストリームの全てのイベントが割り当てられるまで繰り返すステップ、
個々のタスクのコストおよびそれぞれ割り当てられるイベントの量から全体コストを検出するステップ、を有することを特徴とする方法。
【請求項７】
請求項５又は６に記載の方法であって、
少なくとも２つのイベントストリームに、２つの異なる限定イベントストリームが割り当てられ、さらに、
前記タスクにより結合して要求される前記コストを決定するステップを有し、
該ステップは、
限定イベントストリームの前記イベントを最も高いコストを有する前記タスクに割り当てるステップであって、ここで割り当てられる前記イベントの量が、前記タスクを起動する前記イベントストリームにより限定され、イベントの最小量はそれぞれ前記限定イベントストリームにより許容されるものであるステップ、
前記限定イベントストリームの残りのイベントを決定するステップであって、実際に割り当てられたイベント量が考慮されるステップ、
前記限定イベントストリームの前記残りのイベントを次に高いコストを有する前記タスクに割り当てるステップであって、次に、前記割り当てられるイベントの量が前記タスクを起動する前記イベントストリームにより限定され、他の限定イベントストリームが前記タスクに割り当てられるステップ、
前記ステップを前記限定イベントストリームの全てのイベントが割り当てられる、もしくはイベント量が前記グループの全てのタスクに割り当てられるまで繰り返すステップ、
個々のタスクのコストおよびそれらにそれぞれ割り当てられるイベントの量から全体コストを決定するステップ、を有することを特徴とする方法。
【請求項８】
先に記載された請求項のいずれかに記載の方法であって、
前記限定イベントストリームが、時間インターバルにおけるイベントの密度を記述するポイントの量に割り当てられ、前記限定イベントストリームは、イベントに対し異なるポイントの量を要求する少なくとも２つの限定イベントストリームに割り当てられる
ことを特徴とする方法。
【請求項９】
先に記載された請求項のいずれかに記載の方法であって、
第１のタスクの前記起動が第２のタスクにより実行されることができ、
これらの起動の時間相関は、イベントストリーム（出力される前記第１のタスクのイベントストリーム、入力される前記第２のタスクのイベントストリーム）によってもキャプチャ可能であることを特徴とする方法。
【請求項１０】
先に記載された請求項のいずれかに記載の方法であって、
少なくとも２つのリソースが前記システムに割り当てられ、
タスクの第１のグループが第１のリソースに割り当てられ、タスクの第２のグループが第２のリソースに割り当てられ、
前記第１のグループの少なくとも２つのタスクがそれぞれ前記第２のグループのタスクを直接、もしくは複数のタスクを経由して起動する方法であって、
出力される前記第１のタスクのイベントストリームに対し、少なくとも限定イベントストリームを決定するステップ、
入力される前記第２のタスクのイベントストリームに対し、少なくとも第２のタスクに対する起動が第１のタスクにより直接実行されない限り、少なくとも限定イベントストリームを決定するステップ、
前記第２のタスクの、前記入力されるイベントストリームの前記限定イベントストリームを考慮して、前記第２のタスクにより結合的に要求されるコストを検出するステップ、
を有することを特徴とする方法。
【請求項１１】
請求項１０に記載の方法であって、少なくとも１つの前記第２のタスクの前記限定イベントストリームを決定するために、前記第１のタスクの前記限定イベントストリームが使用されることを特徴とする方法。
【請求項１２】
先に記載された請求項のいずれかに記載の方法であって、
前記タスクは、ＣＰＵ又は電気回路モジュールにより実行可能なユニットであることを特徴とする方法。